(57)【要約】【課題】使用者の好みに合わせて留める強さを調節可能で、優れたダイエット効果が得られるダイエット用バンドを提供する。【解決手段】所定の長さの鉄から成る固定部材３が、細長いバンド本体２の一端に、バンド本体２の長さ方向に沿って設けられている。バンド本体２は、他端にその長さ方向に固定部材３の長さ以内で並んだ複数のポケット１４を有している。複数の磁石４が、各ポケット１４に着脱可能に挿入されている。鉄から成る複数の板体５が各磁石４に各ポケット１４の外側から吸着されている。結合部材１５が、固定部材３に各磁石４を吸着させた状態で、バンド本体２の一端と他端とを着脱可能に結合する。バンド本体２は全体の長さを調節可能な長さ調節部を有し、調節された長さを示すための目盛１６が表示されている。【選択図】図１
0003172908.tif 000002
【実用新案登録請求の範囲】
【請求項１】
腹部または腰部の周りに巻いて使用されるダイエット用バンドであって、
細長いバンド本体と、
所定の長さを有する磁性体から成り、前記バンド本体の一端に前記バンド本体の長さ方向に沿って設けられた固定部材と、
前記磁性体に吸着可能であって、前記バンド本体の他端に、その長さ方向に前記固定部材の長さ以内で並んで着脱可能に設けられた複数の磁石とを、
有することを特徴とするダイエット用バンド。
【請求項２】
磁性体から成る複数の板体を有し、
前記バンド本体は、前記他端に、その長さ方向に前記固定部材の長さ以内で並んだ複数のポケットを有し、
各磁石は各ポケットに着脱可能に挿入され、
各板体は各磁石に各ポケットの外側から吸着されていることを、
特徴とする請求項１記載のダイエット用バンド。
【請求項３】
前記バンド本体は、前記固定部材に各磁石を吸着させた状態で前記一端と前記他端とを着脱可能に結合する結合部材を有することを特徴とする請求項１または２記載のダイエット用バンド。
【請求項４】
前記バンド本体は全体の長さを調節可能な長さ調節部を有し、調節された長さを示すための目盛が表示されていることを、特徴とする請求項１、２または３記載のダイエット用バンド。
【請求項５】
前記バンド本体は、前記バンド本体の前記一端に前記バンド本体の長さ方向で表示が変化する警告表示を有することを特徴とする請求項１、２、３または４記載のダイエット用バンド。
【考案の詳細な説明】
【技術分野】
【０００１】
本考案は、腹部または腰部の周りに巻いて使用されるダイエット用バンドに関する。
【背景技術】
【０００２】
従来のダイエット用のバンドとして、磁石等の磁力による接続方法、フックやスナップ等の機械的な接続方法、または面ファスナーによる接続方法を用いることにより、力を加えると簡単に外れ、何度でも使用でき、長さを自由に調節できる、ひも状、ベルト状またはバンド状の補助具がある（例えば、特許文献１参照）。この補助具は、腹筋の力を緩めるとすぐに外れるようにウエストに装着し、外れないように使用し続けることによりダイエット効果が得られる。
【先行技術文献】
【特許文献】
【０００３】
【特許文献１】特開２００４−２８３５２８号公報
【考案の概要】
【考案が解決しようとする課題】
【０００４】
しかしながら、特許文献１に記載の補助具では、留め具の留める力が一定のため、留め具を留める強さを調節できないという課題があった。このため、慣れないうちはすぐに外れてしまい、なかなかダイエット効果が得られなかったり、反対になかなか外れなくて窮屈な状態で耐えなくてはならかったりするという課題があった。
【０００５】
本考案は、このような課題に着目してなされたもので、使用者の好みに合わせて留める強さを調節可能で、優れたダイエット効果が得られるダイエット用バンドを提供することを目的とする。
【課題を解決するための手段】
【０００６】
上記目的を達成するために、本考案に係るダイエット用バンドは、腹部または腰部の周りに巻いて使用されるダイエット用バンドであって、細長いバンド本体と、所定の長さを有する磁性体から成り、前記バンド本体の一端に前記バンド本体の長さ方向に沿って設けられた固定部材と、前記磁性体に吸着可能であって、前記バンド本体の他端に、その長さ方向に前記固定部材の長さ以内で並んで着脱可能に設けられた複数の磁石とを、有することを特徴とする。
【０００７】
本考案に係るダイエット用バンドは、腹筋の位置にかかるよう、腹部または腰部の周りに巻いて使用する。バンド本体の一端の固定部材に、他端の磁石を吸着させて装着する。このとき、腹筋の力が緩んで腹部が突き出たときに外れるよう、腹筋に力を入れて腹部を凹ませた状態で装着する。こうして、腹筋で腹部を凹ませ、外れないよう装着し続けることにより、ダイエット効果が得られる。
【０００８】
本考案に係るダイエット用バンドは、固定部材に吸着させる磁石の個数を変えることにより、留める強さを調節することができる。このため、慣れない段階では、使用する磁石の個数を増やして外れにくく調節することができる。慣れてきたときやダイエット効果を高めたいときなどには、使用する磁石の個数を減らして外れやすく調節することができる。このように、自分の好みに合わせて留める強さを調節し、優れたダイエット効果を得ることができる。
【０００９】
本考案に係るダイエット用バンドで、固定部材は、バンド本体の一端の表面に貼り付けられていてもよいが、表面に露出しないよう、バンド本体の一端で全体を被覆されていることが好ましい。磁性体としては、磁石が吸着しやすい鉄またはニッケルが好ましい。複数の磁石は、それぞれ同じ磁力であっても、留める強さを細かく調節できるようそれぞれ異なる磁力であってもよい。
【００１０】
本考案に係るダイエット用バンドは、磁性体から成る複数の板体を有し、前記バンド本体は、前記他端に、その長さ方向に前記固定部材の長さ以内で並んだ複数のポケットを有し、各磁石は各ポケットに着脱可能に挿入され、各板体は各磁石に各ポケットの外側から吸着されていることが好ましい。
【００１１】
このように複数のポケットを有する場合、ポケットに挿入する磁石の個数を変えることにより、留める力を調節することができる。ポケットに磁石を挿入し、ポケットを挟んでバンド本体の一端の固定部材に磁石を吸着させて装着する。板体は、ポケットの外側から磁石に吸着させて取り付ける。これにより、磁石をポケット内に固定することができる。磁石をポケットから取り出すときには、板体をポケットの開口から外側にずらす。磁石は、板体に吸着されてポケットから容易に取り出すことができる。板体の位置により、磁石がどのポケットに入っているか、外側から容易に確認することができる。ポケットの位置により固定部材から外れるまでの距離が異なるため、磁石をどのポケットに挿入するか選択することによって、外れやすさを調節することができる。
【００１２】
ポケットは、バンド本体の長さ方向に沿って磁石を並べて挿入できるよう細長く形成されていてもよい。この場合、ポケットに挿入する磁石の個数や位置を変えることによって、外れやすさを調節することができる。
【００１３】
本考案に係るダイエット用バンドで、前記バンド本体は、前記固定部材に各磁石を吸着させた状態で前記一端と前記他端とを着脱可能に結合する結合部材を有することが好ましい。この場合、結合部材を使用して、より強い力で留めることができる。結合部材は、例えば、面ファスナーやホックから成ることが好ましい。
【００１４】
本考案に係るダイエット用バンドで、前記バンド本体は全体の長さを調節可能な長さ調節部を有し、調節された長さを示すための目盛が表示されていることが好ましい。この場合、長さ調節部により、バンド本体を自分に合った長さに調節することができる。また、目盛により、バンド本体の長さを調節しやすく、かつ、ダイエット効果を確認することができる。
【００１５】
本考案に係るダイエット用バンドで、前記バンド本体は、前記バンド本体の前記一端に前記バンド本体の長さ方向で表示が変化する警告表示を有することが好ましい。この場合、警告表示により、腹筋の力が緩んで腹部が突き出たことを確認することができる。また、警告表示はバンド本体の長さ方向で表示が変化するので、表示された警告表示により、どの程度腹部が突き出たか、知ることができる。このため、ダイエット効果をより高めることができる。
【考案の効果】
【００１６】
本考案によれば、使用者の好みに合わせて留める強さを調節可能で、優れたダイエット効果が得られるダイエット用バンドを提供することができる。
【図面の簡単な説明】
【００１７】
【図１】本考案の実施の形態のダイエット用バンドを示す斜視図である。
【考案を実施するための形態】
【００１８】
以下、図面に基づき本考案の実施の形態について説明する。
図１は、本考案の実施の形態のダイエット用バンドを示している。
図１に示すように、ダイエット用バンド１は、バンド本体２と固定部材３と複数の磁石４と複数の板体５とを有している。
【００１９】
バンド本体２は、薄くて柔軟な生地から成る長い第１帯体１１と短い第２帯体１２とを、細長い環状の接続部材１３で接続して成り、細長い帯状をなしている。第１帯体１１は、一端１１ａが、生地を２枚重ねにして、その生地の間に固定部材３を挟んだ状態で周囲を縫い合わされている。第１帯体１１の他端１１ｂの一方の面には、面ファスナーのフックテープとループテープとが長さ方向に並べて縫い付けられている。第１帯体１１は、他端１１ｂを接続部材１３の環の中に挿入してから接続部材１３の位置で折り返して、他端１１ｂの面ファスナーのフックテープとループテープとを貼り合わせることにより接続部材１３に取り付けられている。
【００２０】
第２帯体１２は、一端１２ａを接続部材１３の環の中に挿入してから接続部材１３の位置で折り返し、折り重ねた部分を縫い合わせて接続部材１３に取り付けられている。接続部材１３は、第１帯体１１および第２帯体１２の幅よりやや長い内径を有している。第１帯体１１の他端１１ｂの面ファスナーと接続部材１３とは、バンド本体２の全体の長さを調節可能な長さ調節部を構成している。他端１１ｂを折り返す接続部材１３の位置を調節することにより、バンド本体２の全体の長さを調節することができる。
【００２１】
固定部材３は、所定の長さを有する薄い鉄製の矩形板から成っている。固定部材３は、バンド本体２の幅よりやや短い幅を有している。固定部材３は、第１帯体１１の一端１１ａの２枚重ねの生地に挟まれて全体を被覆され、バンド本体２の長さ方向に沿って伸びるよう設けられている。各磁石４は、円盤形状であって、バンド本体２の幅より短い直径を有し、第１帯体１１の一端１１ａの生地を隔てて固定部材３に吸着可能である。
【００２２】
バンド本体２は、第２帯体１２の他端１２ｂに、バンド本体２の長さ方向に並んだ複数のポケット１４を有している。各ポケット１４は、磁石４の直径よりやや大きい幅と深さを有し、すべてのポケット１４に磁石４を挿入した状態ですべての磁石４が固定部材３に吸着できるよう、固定部材３の長さ以内に配置されている。各ポケット１４は、バンド本体２の外側面１２ｃに設けられている。各ポケット１４の開口は、バンド本体２の側縁を向いている。各磁石４は、各ポケット１４に開口から着脱可能に挿入されている。各磁石４は、他端１２ｂの各ポケット１４に挿入され、バンド本体２の長さ方向に、固定部材３の長さ以内で並んで設けられている。１つのポケット１４には、磁石４を重ねて２つ以上挿入することもできる。
【００２３】
バンド本体２は、第１帯体１１の一端１１ａと、第２帯体１２の他端１２ｂとを互いに着脱可能に結合する結合部材１５を有している。結合部材１５は面ファスナーから成り、そのループテープおよびフックテープが、第１帯体１１の外側面１１ｃの固定部材３の後端付近と、第２帯体１２の内側面１２ｄの他端１２ｂの先端部とにそれぞれ縫い付けられている。これにより、バンド本体２は、固定部材３に各ポケット１４の中の各磁石４を吸着させた状態で、第１帯体１１の一端１１ａと第２帯体１２の他端１２ｂとを結合部材１５により着脱可能に結合している。バンド本体２には、結合部材１５を使用しないときのため、別体でフックテープに着脱可能なループテープが設けられている。
【００２４】
バンド本体２は、第１帯体１１の他端１１ｂの内側面１１ｄに目盛１６が表示されている。目盛１６は、第１帯体１１を折り返した接続部材１３の位置で、調節されたバンド本体２の全体の長さが表示されるように付けられている。
各板体５は、各磁石４よりやや径が大きい薄い鉄製の円板から成っている。各板体５には、商標などが表示されていることが好ましい。各板体５は、各ポケット１４に挿入された各磁石４に、各ポケット１４の外側から吸着されている。各板体５は、細いチェーンなどで各ポケット１４に取り付けられていることが好ましい。
【００２５】
バンド本体２は、第１帯体１１の外側面１１ｃの固定部材３の位置に、バンド本体２の長さ方向で表示が変化する警告表示１７を有している。警告表示１７は、例えば、一端１１ａ付近を赤色１７ａに着色し、一端１１ａから離れた位置を黄色１７ｂに着色して成っている。警告表示１７は、他端１１ｂ側から一端１１ａにかけて、より細かく変化する表示であってもよい。警告表示１７は、文字やマークから成っていてもよい。
【００２６】
図１に示す具体的な一例では、磁石４、板体５およびポケット１４は、それぞれ２つずつから成っている。バンド本体２は、幅が２．８ｃｍで、長さを６０ｃｍ〜８５ｃｍまで調整可能になっている。しかしながら、磁石４、板体５およびポケット１４は、３つ以上であってもよい。また、バンド本体２の幅、長さも自由に設定可能である。
【００２７】
次に、作用について説明する。
ダイエット用バンド１は、腹筋の位置にかかるよう、腹部または腰部の周りに巻いて使用する。第２帯体１２の他端１２ｂの各ポケット１４に磁石４を挿入した状態で、ポケット１４を挟んで第１帯体１１の一端１１ａの固定部材３に、磁石４を吸着させて装着する。このとき、腹筋の力が緩んで腹部が突き出たときに外れるよう、バンド本体２の長さを調節して、腹筋に力を入れて腹部を凹ませた状態で装着する。こうして、腹筋で腹部を凹ませ、外れないよう装着し続けることにより、ダイエット効果が得られる。特に、腹筋に力を入れて腹部を凹ませた状態が習慣化するよう、使用者が意識付けするのに効果がある。
【００２８】
ダイエット用バンド１は、各ポケット１４に挿入する磁石４の個数を変えることにより、留める強さを調節することができる。さらに結合部材１５を使用した場合、より強い力で留めることができる。慣れない段階では、使用する磁石４の個数を増やし、結合部材１５を結合させて、外れにくく調節することができる。慣れてきたときや、集中してダイエット効果を高めたいときなどには、使用する磁石４の個数を減らし、結合部材１５の使用を止めて、外れやすく調節することができる。このように、自分の好みに合わせて留める強さを調節し、優れたダイエット効果を得ることができる。
【００２９】
ダイエット用バンド１は、ポケット１４の位置により固定部材３から外れるまでの距離が異なるため、磁石４をどのポケット１４に挿入するか選択することによって、外れやすさを調節することができる。図１に示す具体例では、２つのポケット１４に磁石４を挿入した場合が最も外れにくく、第２帯体１２の他端１２ｂに近いポケット１４にのみ磁石４を挿入した場合が次に外れにくく、他端１２ｂから遠いポケット１４にのみ磁石４を挿入した場合が最も外れやすくなる。また、１つのポケット１４に複数個の磁石４を挿入して、留める強さを大きくしてもよい。
【００３０】
板体５は、ポケット１４の外側から磁石４に吸着させて取り付ける。これにより、磁石４をポケット１４内に固定することができる。磁石４をポケット１４から取り出すときには、板体５をポケット１４の開口から外側にずらす。磁石４は、板体５に吸着されてポケット１４から容易に取り出すことができる。板体５の位置により、磁石４がどのポケット１４に入っているか、外側から容易に確認することができる。また、板体５の表面に商品名や商標などを表示することにより、広告効果を得ることができる。
【００３１】
ダイエット用バンド１は、第１帯体１１の他端１１ｂを折り返す接続部材１３の位置を調節して、他端１１ｂの面ファスナーのフックテープとループテープとを貼り合わせることにより、バンド本体２を自分に合った長さに調節することができる。ダイエットに特に効果的なバンド本体２の長さは、使用者の通常時のウエストサイズから５ｃｍ短い長さである。また、接続部材１３の位置で目盛１６を読むことにより、調節されたバンド本体２の全体の長さを確認できるので、バンド本体２の長さを調節しやすく、かつ、ダイエット効果を確認することができる。
【００３２】
バンド本体２は、警告表示１７により、腹筋の力が緩んで腹部が突き出たことを確認することができる。また、警告表示１７はバンド本体２の長さ方向で表示が変化するので、表示された警告表示１７により、どの程度腹部が突き出たか、知ることができる。このため、ダイエット効果をより高めることができる。
なお、ポケット１４は、バンド本体２の長さ方向に沿って磁石４を並べて挿入できるよう細長く形成されていてもよい。この場合、ポケット１４に挿入する磁石４の個数や位置を変えることによって、外れやすさを調節することができる。
【符号の説明】
【００３３】
１  ダイエット用バンド
２  バンド本体
１１  第１帯体
１２  第２帯体
１３  接続部材
１４  ポケット
１５  結合部材
１６  目盛
１７  警告表示
３  固定部材
４  磁石
５  板体
【図１】
0003172908.tif 000003